(57)【要約】【課題】ノズル体に付着した還元剤の残液が外部へ流出したり、その臭いが外部へ放散するのを防止し、これを簡易かつ低コストな機構で可能にする。【解決手段】容器本体１２はグリップ部２６が一体に形成され、尿素水貯留室２８とグリップ部２６の内部に形成されたノズル体収納室３０とに仕切られている。ノズル体４４は、中空筒状体４６と、内周面に中空筒状体４６の基端部４６ａが接続された中空円筒形状の基部４８とからなる。基部４８は、中空円筒体４２の外ネジ４２ａに螺着する第１の内ネジ５０と、中空円筒体３８の外ネジ３８ａに螺着する第２の内ネジ５２と、基端部４６ａの開口を閉鎖する弾性膜５４とを備えている。ノズル体４４を中空円筒体３８に螺着したとき、小径中空円筒体５６がスリット５４ａを押し曲げ、尿素水注出開口５８を形成する。【選択図】図１
2012163036.tif 000002
【特許請求の範囲】
【請求項１】
車両の排気ガス浄化装置に用いる液体の還元剤を収納し、携行可能できるようにした還元剤補給容器において、
内部が還元剤貯留室とノズル体収納室とに仕切られた容器本体と、該還元剤貯留室に設けられた還元剤注入出口と、ノズル体収納室に設けられたノズル体収納開口と、ノズル体収納室内に保管され、使用時に還元剤注入出口に装着されるノズル体と、を備え、
前記ノズル体は、中空筒状体と、該中空筒状体の基端部が内周面に接続された中空円筒体をなす基部とからなり、該基部は、基部をノズル体収納開口に装着する第１の装着部と、基部を還元剤注入出口に装着する第２の装着部と、第１の装着部と第２の装着部との間に設けられ、中空筒状体の基端部開口を閉鎖するスリット付き弾性膜と、を備え、
還元剤注入出口は、ノズル体が装着されたとき前記弾性膜を押し曲げてスリットを拡開する拡開部材を備えていることを特徴とする還元剤補給容器。
【請求項２】
前記容器本体が直方体状をなし、前記還元剤注出口及び前記ノズル体収納開口が容器本体頂面に設けられ、容器本体側面に沿って容器本体と一体にグリップ部が形成されると共に、該グリップ部の内部に前記ノズル体収納室が形成されていることを特徴とする請求項１に記載の還元剤補給容器。
【請求項３】
前記第１の装着部が基部の内周面に形成された第１の内ネジを備え、前記ノズル体収納開口の周囲に外周面に外ネジを有する中空円筒体が設けられ、前記中空筒状体をノズル体収納室に収納した状態で第１の内ネジを該外ネジに螺着させるように構成したことを特徴とする請求項１又は２に記載の還元剤補給容器。
【請求項４】
前記第２の装着部が基部の内周面に形成された第２の内ネジを備え、前記還元剤注入出口の周囲に外周面に外ネジを有する中空円筒体が設けられ、前記中空筒状体を容器本体の外部に配置した状態で第２の内ネジを該外ネジに螺着させるように構成したことを特徴とする請求項１又は２に記載の還元剤補給容器。
【請求項５】
前記拡開部材が前記中空円筒体の先端に一体形成された小径中空円筒体で構成され、前記ノズル体が還元剤注入出口に装着されたとき、該小径中空円筒体で前記弾性膜を還元剤の注出方向に押し曲げ、還元剤注出開口を形成させるように構成したことを特徴とする請求項４に記載の還元剤補給容器。
【発明の詳細な説明】
【技術分野】
【０００１】
本発明は、車両に装備されたディーゼルエンジンの排気ガス浄化装置に用いる還元剤を収納し、携行できるようにした還元剤補給容器に関する。
【背景技術】
【０００２】
トラック、バス等に装備されたディーゼルエンジンの排気ガス浄化装置として、排気ガス中の窒素酸化物（ＮＯｘ）を浄化するために尿素を還元剤に用いたＳＣＲ（Ｓｅｌｅｃｔｖｅ  Ｃａｔａｌｙｔｉｃ  Ｒｅｄｕｃｔｉｏｎ）触媒を使用することが実用化されている。ＳＣＲ触媒を用いた排気ガス浄化装置は、排気ガスが流通する排気管の途中に、酸素共存下でも選択的に排気ガス中の窒素酸化物（ＮＯｘ）を還元剤と反応させる性質を備えたＳＣＲ触媒を設け、排気ガス中のＮＯｘを選択的にＳＣＲ触媒に吸着させて清浄化するものである。
【０００３】
ＳＣＲ触媒上流側の排気通路中に尿素水を噴射し、該尿素水中の尿素を加水分解し還元剤であるアンモニア（ＮＨ３）を生成して、アンモニアをＳＣＲ触媒に供給し、ＳＣＲ触媒に吸着したＮＯｘを還元して窒素と水に分解して排出させることで、ＮＯｘの排出濃度を低減させるものである。
【０００４】
このようなＳＣＲ触媒を用いた排気ガス浄化装置を使用する車両においては、ＳＣＲ触媒上流側の排気通路中に尿素水を噴射するため、尿素水を貯留する尿素水タンクを備えており、尿素水タンク内の尿素水がなくなると、専用設備を有したスタンド、販売店等で購入して供給する必要がある。
【０００５】
しかし、尿素水は、販売店舗も限られており、燃料のように容易に入手することはできない。従って、ドライバーは尿素水がなくなるというリスクを少しでも低減するために、万一に備えて尿素水数リットルを入れた汎用の容器を車室内などに携行している場合も少なくない。そして、入手タイミングを逸した時には、容器内に尿素水を尿素水タンク内に補給するようにして、排ガス浄化装置の機能を確保するようにしている場合もある。
【０００６】
特許文献１には、容器内の液体を注出しやすくした容器の構成が開示されている。この容器の構成を図６で説明する。この容器１００は、容器本体１０２の口頸部１０４に、下端面閉塞で、上端面に複数の開口１０８及びフランジ１１０を有する流量制御筒１０６を遊挿させている。そして、流量制御筒１０６の内側にノズル体１１２を倒立状態で挿入させている。ノズル体１１２のフランジ１１４はフランジ１１０に係合している。ノズル体１１２の上端開口面にはキャップ１１６が着脱自在に嵌合されている。また、フランジ１１４の外側から締付け部材１１８が口頸部１０４に螺着している。
【０００７】
容器１００から液体を注出させるときには、口頸部１０４から締付け部材１１８を外し、流量制御筒１０６からノズル体１１２を取り出し、ノズル体１１２を反転させた状態で、再び締付け部材１１８でノズル体１１２のフランジ１１４を固定し、ノズル体１１２を締付け部材１１８のフランジ孔１２０を通して口頸部１０４の外側に突出させるようにする。これによって、容器本体１０２内の液体は、流量制御筒１０６の開口１０８を通ってノズル体１１２内から注出される。
【先行技術文献】
【特許文献】
【０００８】
【特許文献１】実公昭６２−１９５４８号公告公報
【発明の概要】
【発明が解決しようとする課題】
【０００９】
尿素水は、高温下で強い臭いを発する。そのため、尿素水の注出時ノズル体に付着した残液といえども開放した状態にするのは好ましくない。特許文献１に開示された容器に尿素水を貯留した場合、尿素水の注出後、ノズル体１１２の内面に付着した尿素水は、締付け部材１１８のフランジ孔１２０を通して外部へ流出し、かつ臭いが外部へ放散されてしまうという問題が生じる。
【００１０】
本発明は、かかる従来技術の課題に鑑み、ノズル体をノズル体収納室に収納するとき、ノズル体に付着した還元剤の残液が外部へ流出したり、あるいはその臭いが外部へ放散するのを防止すると共に、これを、キャップ又は複雑な弁機構を必要とせず、簡易かつ低コストな機構で可能にすることを目的とする。
【課題を解決するための手段】
【００１１】
かかる目的を達成するため、本発明の還元剤補給容器は、車両の排気ガス浄化装置に用いる液体の還元剤を収納し、携行可能できるようにした還元剤補給容器において、内部が還元剤貯留室とノズル体収納室とに仕切られた容器本体と、該還元剤貯留室に設けられた還元剤注入出口と、ノズル体収納室に設けられたノズル体収納開口と、ノズル体収納室内に保管され、使用時に還元剤注入出口に装着されるノズル体と、を備え、該ノズル体は、中空筒状体と、該中空筒状体の基端部が内周面に接続された中空円筒体をなす基部とからなり、該基部は、基部をノズル体収納開口に装着する第１の装着部と、基部を還元剤注入出口に装着する第２の装着部と、第１の装着部と第２の装着部との間に設けられ、中空筒状体の基端部開口を閉鎖するスリット付き弾性膜と、を備え、還元剤注入出口は、ノズル体が装着されたとき弾性膜を押し曲げてスリットを拡開する拡開部材を備えているものである。
【００１２】
本発明の還元剤補給容器は、容器本体の内部に還元剤貯留室に対して仕切られたノズル体収納室が形成され、還元剤の注出時以外は、ノズル体をノズル体収納室に収納しておくノズル体収納型の容器である。ノズル体の基部には、中空筒状体の基端部開口を閉鎖する弾性膜を備えており、該弾性膜はスリットを有するが、弾性膜に力が付加されていないとき、弾性膜は密閉状態となる。そのため、ノズル体をノズル体収納室に収納したとき、ノズル体に付着した還元剤の残液がノズル体収納室の外部へ流出したり、あるいはその臭いが外部へ放散するのを防止できる。また、これを、複雑な弁機構を設けることなく低コストな構成で達成できる。
【００１３】
また、還元剤の注出時に、ノズル体を還元剤注出開口の中空円筒体に装着したとき、還元剤注入出口は弾性膜を押し曲げてスリットを拡開する拡開部材を備えているので、何の操作も必要とせず、基部の内部に還元剤注出開口を形成でき、還元剤を容器外に支障なく注出できる。
【００１４】
本発明の還元剤補給容器において、容器本体が直方体状をなし、還元剤注出口及びノズル体収納開口が容器本体頂面に設けられ、容器本体側面に沿って容器本体と一体にグリップ部が形成されると共に、該グリップ部の内部にノズル体収納室が形成されているとよい。これによって、作業員がグリップ部を把持し、容器本体を略直角に傾けるだけで、尿素水を容器外に注出できる。最後に、容器の底部に残った尿素水も、グリップ部を大きく傾けることのない楽な体勢で、容易に外部へ注出できる。
【００１５】
本発明において、前記第１の装着部が基部の内周面に形成された第１の内ネジを備え、ノズル体収納開口の周囲に外周面に外ネジを有する中空円筒体が設けられ、中空筒状体をノズル体収納室に収納した状態で第１の内ネジを該外ネジに螺着させるように構成するとよい。これによって、簡易かつ低コストな構成で、ノズル体の基部をノズル体収納開口に固定できる。
【００１６】
本発明において、前記第２の装着部が基部の内周面に形成された第２の内ネジを備え、還元剤注入出口の周囲に外周面に外ネジを有する中空円筒体が設けられ、前記中空筒状体を容器本体の外部に配置した状態で第２の内ネジを該外ネジに螺着させるように構成するとよい。これによって、還元剤の注出時に、簡易かつ低コストな構成で、ノズル体の基部を還元剤注入出口に固定できる。
【００１７】
本発明において、前記拡開部材が中空円筒体の先端に一体形成された小径中空円筒体で構成され、ノズル体が還元剤注入出口に装着されたとき、該小径中空円筒体で弾性膜を還元剤の注出方向に押し曲げ、還元剤注出開口を形成させるように構成するとよい。これによって、簡易かつ低コストな構成で、還元剤の注出時に、何の操作も必要とせず、ノズル体を還元剤注出開口の中空筒状体に装着するだけで、基部の内部に還元剤注出開口を形成でき、還元剤を容器外に支障なく注出できる。
【発明の効果】
【００１８】
本発明によれば、車両の排気ガス浄化装置に用いる液体の還元剤を収納し、携行可能できるようにした還元剤補給容器において、内部が還元剤貯留室とノズル体収納室とに仕切られた容器本体と、該還元剤貯留室に設けられた還元剤注入出口と、ノズル体収納室に設けられたノズル体収納開口と、ノズル体収納室内に保管され、使用時に還元剤注入出口に装着されるノズル体と、を備え、該ノズル体は、中空筒状体と、該中空筒状体の基端部が内周面に接続された中空円筒体をなす基部とからなり、該基部は、基部をノズル体収納開口に装着する第１の装着部と、基部を還元剤注入出口に装着する第２の装着部と、第１の装着部と第２の装着部との間に設けられ、中空筒状体の基端部開口を閉鎖するスリット付き弾性膜と、を備え、還元剤注入出口は、ノズル体が装着されたとき弾性膜を押し曲げてスリットを拡開する拡開部材を備えているので、還元剤の注出後、ノズル体をノズル体収納室の内部に収納したとき、複雑な弁機構を設けることなく低コストな構成で、還元剤の放散を防止できると共に、還元剤の注出時に、ノズル体を還元剤注出開口に装着するだけで、他に何の操作も必要とせず、還元剤を支障なく注出できる。
【図面の簡単な説明】
【００１９】
【図１】本発明の一実施形態に係る尿素水補給容器の斜視図である。
【図２】前記尿素水補給容器の正面視断面図である。
【図３】前記尿素水補給容器のノズル体の断面図である。
【図４】前記尿素水補給容器の一部拡大平面図である。
【図５】前記尿素水補給容器の尿素水注出時の操作を示す説明図である。
【図６】従来の容器の液体注出部の一構成例を示す断面図である。
【発明を実施するための形態】
【００２０】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００２１】
本発明に係る還元剤補給容器の一実施形態を図１〜図５に基づいて説明する。図１において、本実施形態に係る尿素水補給容器１０の容器本体１２は、扁平な直方体をなし、最大面積を有する側面２０に貫通空間２４が形成され、側面２０と交差する側面１６側で、頂面１４又は底面２２と略直交する方向に、円筒形状のグリップ部２６が形成されている。
【００２２】
図２に示すように、容器本体１２の内部は、仕切壁３２によって、尿素水貯留室２８とノズル体収納室３０とに仕切られている。ノズル体収納室３０はグリップ部２６の内部で円筒形状の空間を形成している。側面１６に相対する側面１８側の頂面１４に、尿素水貯留室２８に尿素水を注出又は注入するための尿素水注入出口３４が設けられ、側面１６側の頂面１４に、ノズル体収納室３０にノズル体４４を出し入れするためのノズル体収納開口３６が設けられている。
【００２３】
頂面１４の外面で、尿素水注入出口３４の周囲に、外周面に外ネジ３８ａを形成した中空円筒体３８が設けられている。尿素水を尿素水貯留室２８に注入又は注出する時以外、中空円筒体３８には内周面に内ネジ４０ａを形成したキャップ４０が螺着され、尿素水注入出口３４を密閉している。
【００２４】
頂面１４の外面で、ノズル体収納開口３６の周囲に、外周面に外ネジ４２ａを形成した中空円筒体４２が設けられている。尿素水補給容器１０から尿素水を注出する時以外、中空円筒体４２にはノズル体４４の基部４８が螺着され、ノズル体収納開口３６を密閉している。ノズル体４４は、軸方向に波形断面を形成した蛇腹状の中空筒状体４６と、該中空筒状体４６の基端部４６ａが接続された中空円筒形状の基部４８とからなる。中空筒状体４６は蛇腹状になっているため、折れ曲がりが容易である。
【００２５】
図３に示すように、ノズル体４４の基部４８は、中空円筒体をなし、内周面に第１の内ネジ５０及び第２の内ネジ５２を形成している。第１の内ネジ５０は中空円筒体４２の外ネジ４２ａと螺合し、第２の内ネジ５２は中空円筒体３８の外ネジ３８ａと螺合するように、それら内ネジの径が設定されている。第１の内ネジ５０と第２の内ネジ５２との間の基部４８の内周面に、中空筒状体４６の基端部４６ａが固着されている。
【００２６】
また、基端部４６ａに隣接した基部４８の内周面に、シリコンゴム等で構成された円板状の弾性膜５４が固着され、基部４８の内側空間を遮蔽している。図４に示すように、弾性膜５４には中央に直線状のスリット５４ａが設けられている。弾性膜５４に力が付加されていないとき、スリット５４ａは密閉されている。そのため、弾性膜５４が変形していないとき、基部４８の内側空間は閉鎖される。中空円筒体３８の先端には、中空円筒体３８より小径の中空円筒体５６が一体に形成されている。
【００２７】
かかる構成において、尿素水を尿素水補給容器１０に注入するときは、キャップ４０を取り外して尿素水を注入する。図２に示すように、尿素水を車両等に設けられた尿素水タンクに補給するとき以外は、ノズル体４４は、ノズル体収納室３０の内部に収納されている。即ち、基部４８の第１の内ネジ５０が中空円筒体４２の外ネジ３８ａに螺着した状態となっている。この状態で、ノズル体４４は、ノズル体収納室３０の内壁に接触しないので、ノズル体４４に付着した尿素水がノズル体収納室３０の内壁に付着することはない。    
【００２８】
この時、基部４８の内側空間は弾性膜５４で閉鎖されている。そのため、尿素水補給容器１０から尿素水を注出するために使用されたノズル体４４がノズル体収納室３０に収納され、ノズル体４４に尿素水の残液が付着していた場合でも、尿素水がノズル体収納室３０の外部へ流出又は放散することはない。
【００２９】
尿素水補給容器１０の尿素水を尿素水タンクに補給するときは、キャップを尿素水注入出口３４から外し、ノズル体４４をノズル体収納室３０から取り出す。そして、図３に示すように、基部４８の第２の内ネジ５２を中空円筒体３８の外ネジ３８ａに螺合させる。基部４８を所定深さまで外ネジ３８ａにねじ込むことで、基部４８を中空円筒体３８に安定して固定できると共に、弾性膜５４が小径中空円筒体５６に押し曲げられ、スリット５４ａが小径中空円筒体５６の端部形状に応じて円形に開口する。これによって、基部４８の内部に円形の尿素水注出開口５８を形成することができる。
【００３０】
この状態で、次に、図５により、尿素水を尿素水補給容器１０から注出するときの操作を説明する。図５において、図５（ａ）は、ノズル体４４をノズル体収納室３０から取り出すときの状態を示し、図５（ｂ）は、尿素水注入出口３４からキャップ４０を外し、その後、尿素水注入出口３４にノズル体４４を装着した状態を示している。図５（ｃ）では、作業員がグリップ部２６を握り、容器本体１２を略直角に傾け、尿素水をノズル体４４から外部へ注出している状態を示している。
【００３１】
尿素水補給容器１０は、例えば、トラック、バス等の運転席のバックシート背面に固定具を用いて固定しておく。あるいはドア内側空間等のスペースを利用して保管してもよく、さらに、車室外の収納スペースを利用してもよい。
【００３２】
本実施形態によれば、ノズル体４４をノズル体収納室３０に収納したとき、弾性膜５４によって基部４８の内側空間が閉鎖されているので、ノズル体４４に付着した尿素水がノズル体収納室３０の外部へ流出したり、あるいはその臭いが外部へ放散するのを防止できる。また、これを、複雑な弁機構を設けることなく、弾性膜５４を設けただけの簡易かつ低コストな構成で達成できる。さらに、尿素水の注出時に、何の操作も必要とせず、ノズル体４４を尿素水注入出口３４の中空円筒体３８に装着するだけで、基部４８の内部に円形の尿素水注出開口５８を形成でき、尿素水を容器外に支障なく注出できる。
【００３３】
また、作業員がグリップ部２６を把持し、容器本体１２を略直角に傾けるだけで、尿素水を容器外に注出できる。最後に、容器１０の底部に残った尿素水も、グリップ部２６を大きく傾けることのない楽な体勢で、容易に外部へ注出できる。
【００３４】
また、ノズル体４４をノズル体収納開口３６又は尿素水注入出口３４に装着するとき、ノズル体４４の基端部４６ａに設けられた第１の内ネジ５０を中空円筒体３８の外ネジ３８ａに螺着させ、又は第２の内ネジ５２を中空円筒体４２の外ネジ４２ａに螺着させるようにしているので、ノズル体４４のノズル体収納開口３６又は尿素水注入出口３４への装着を、簡易かつ低コストな構成で可能になる。
【産業上の利用可能性】
【００３５】
本発明によれば、ノズル体収納型還元剤補給容器で、簡易かつ低コストな構成で、ノズル体に付着した還元剤の容器外への流出及び放散を防止できる。
【符号の説明】
【００３６】
１０                    尿素水補給容器
１２，１０２            容器本体
１４                    頂面
１６，１８，２０        側面
２２                    底面
２４                    貫通空間
２６                    グリップ部
２８                    尿素水貯留室
３０                    ノズル体収納室
３２                    仕切壁
３４                    尿素水注入出口
３６                    ノズル体収納開口
３８，４２              中空円筒体
３８ａ、４２ａ          外ネジ
４０，１１６            キャップ
４４，１１２            ノズル体
４６                    中空筒状体
４６ａ                  基端部
４８                    基部
５０                    第１の内ネジ（第１の装着部）
５２                    第２の内ネジ（第２の装着部）
５４                    弾性膜
５６                    小径中空円筒体
５８                    尿素水注出開口
１００                  容器
１０４                  口頸部
１０６                  流量制御筒
１０８                  開口
１１０，１１４          フランジ
１１８                  締付け部材
１２０                  フランジ孔
【図１】
2012163036.tif 000003
【図２】
2012163036.tif 000004
【図３】
2012163036.tif 000005
【図４】
2012163036.tif 000006
【図５】
2012163036.tif 000007
【図６】
2012163036.tif 000008